(57)【要約】【課題】摩耗してもトレッド性能を維持できるタイヤの製造方法を提供する。【解決手段】タイヤ１０の形成方法が、少なくとも１つの補強プライ１６と、１対のサイドウォール２０と、１対のビード部分１８とを有するカーカス１２を形成するステップと、ベルト構造をカーカス１２上に配置するステップと、トレッド材を形成するステップと、トレッド材をベルト構造上に配置するステップと、タイヤ１０の半径方向外側表面に溝３２を形成するための少なくとも１つのリブを有する金型内で、タイヤ１０を硬化させるステップとを含む。硬化したタイヤ１０内に埋め込み溝３４を作るチューブが、タイヤ１０を硬化させる前に、トレッド材に隣接して、またはトレッド材内に配置される。タイヤ１０のトレッド２８の摩耗が所定のレベルになったら、トレッド２８内の溝が増えるように、チューブが現れて開口する。【選択図】図１
2007168438.tif 000002
【特許請求の範囲】
【請求項１】
カーカスとベルト構造とトレッドとを有し、前記トレッドは変化するトレッド構造を有し、前記トレッド構造は前記トレッドの様々な深さの位置で異なっている、タイヤの製造方法であって、
ａ）少なくとも１つのカーカス補強プライと、互いに対向する１対のサイドウォールと、互いに対向する１対のビード部分とを有する前記カーカスを形成するステップと、
ｂ）前記ベルト構造を前記カーカスの半径方向外側表面上に配置するステップと、
ｃ）長手方向に平行で互いに対向する２つの表面を有するトレッド材を形成するステップと、
ｄ）前記トレッド材を前記ベルト構造の半径方向外側面上に配置するステップと、
ｅ）前記タイヤの半径方向外側表面に溝を形成するための少なくとも１つのリブを有する金型内で、前記タイヤを硬化させるステップと、
を含み、
硬化した前記タイヤ内に埋め込み溝を作るチューブを、前記タイヤを硬化させる前に、前記トレッド材に隣接して、または前記トレッド材内に配置する
ことを特徴とするタイヤの製造方法。
【請求項２】
前記トレッド材は押し出し成形によって形成され、前記チューブが内部に配置される少なくとも１つの溝が、前記トレッド材内に形成される、請求項１に記載の方法。
【請求項３】
前記チューブは、前記タイヤの加硫中に破壊されない材料で形成されている、請求項１に記載の方法。
【請求項４】
前記チューブは、リング状のチューブ、予め成形された、開いた端部を有するチューブ、または少なくとも１つの可撓性の円筒である、請求項１に記載の方法。
【請求項５】
前記チューブの厚さは０．１０ｍｍから５ｍｍの範囲内である、請求項１に記載の方法。
【請求項６】
前記チューブには充填材料が供給されている、請求項１に記載の方法。
【請求項７】
前記チューブはビニル共重合体または熱可塑性材料で形成されている、請求項１に記載の方法。
【請求項８】
前記チューブは予め形成された形状を有している、請求項１に記載の方法。
【請求項９】
前記チューブは、円形、長円形、２次元の曲線形状、正方形、長方形、台形、四角形、五角形、六角形、および多角形からなるグループから選択された断面形状を有している、請求項１に記載の方法。
【請求項１０】
硬化した前記タイヤにて、硬化前に前記トレッド材内に形成された前記少なくとも１つの溝が、硬化した前記タイヤの前記半径方向外側表面に形成された溝に一致しない、請求項２に記載の方法。
【請求項１１】
トレッドストリップの少なくとも１つの溝が、前記トレッド材の長手方向に沿って形成されている、請求項２に記載の方法。
【請求項１２】
トレッドストリップの少なくとも１つの溝が、前記トレッド材の長手方向を横切るように形成されている、請求項２に記載の方法。
【請求項１３】
少なくとも１つのトレッドストリップの溝は不連続な溝である、請求項２に記載の方法。
【請求項１４】
前記タイヤの硬化中に、前記チューブは、トレッド金型の表面から延びている複数のニードル、前記トレッド金型の表面から延びている複数の金型リブ、または、前記トレッド金型の表面から延びている複数のサイプブレードによって、所望の位置に保持されている、請求項１に記載の方法。
【請求項１５】
前記トレッド材を前記ベルト構造の前記半径方向外側表面上に配置する前に、クッションゴムを前記ベルト構造上に配置する追加のステップを含む、請求項１に記載の方法。
【請求項１６】
請求項１に記載の方法によって形成されたタイヤ。
【請求項１７】
カーカスとベルト構造とトレッドとを有するタイヤであって、
前記トレッドは、周方向の少なくとも１つの表面溝、または横方向の少なくとも１つの表面溝と、変化するトレッド構造とを有し、
前記トレッド構造は前記トレッドの様々な深さの位置で異なっており、
前記トレッドは埋め込み溝を有し、
前記埋め込み溝は前記表面溝のいずれとも連通しておらず、
前記トレッドは、前記タイヤの残りの部分と同じ金型内で、該残りの部分と同時に全て硬化させられる、少なくとも１つのゴム基体で形成されている、タイヤ。
【発明の詳細な説明】
【技術分野】
【０００１】
本発明は、空気入りタイヤの形成方法に関し、特に、タイヤが摩耗した時に異なるトレッドパターンが生じるようにトレッドが構成されている空気入りタイヤの形成に関する。
【背景技術】
【０００２】
タイヤトレッドパターンは、複数のリブや複数のブロックなどの多数の部材を備えており、これらの部材は、周方向および／または横方向の複数の溝によって分離されている。複数の溝は、水を排出する手段を形成するとともに、トレッド部材の、路面に食いつく縁部（biting edges）を形成している。
【０００３】
タイヤが新しい時に、トレッドは最大トレッド高さを有する。この初期高さは、タイヤの、意図された用途に応じて変えてもよく、冬用タイヤはオールシーズンタイヤに比べてトレッドが深い。初期のトレッド深さにかかわらず、タイヤが新しい時にはトレッド部材は初期の剛性を有している。トレッド部材の実際の剛性は、ブロックの大きさ、形状、サイプの有無、およびトレッド複合物によって決まる。トレッドが摩耗すると、ブロック高さが減少する一方、トレッド部材の剛性は高くなる。トレッド剛性が高くなるにつれて、濡れた路面でのスリップや濡れた路面でのハンドリングなどの、いくつかの望ましいタイヤの特性が低くなる。トレッドが摩耗すると、溝の容積が減少するためハイドロプレーニング特性も低くなる。そこで、タイヤが摩耗した時に、タイヤの性能特性をより良く維持することが望まれる。
【０００４】
特許文献１は、所望の溝の容積を維持するためのタイヤの製造方法を開示しており、タイヤは、トレッドが摩耗した時に現れる埋め込み溝を作る金型によって製造される。
【特許文献１】米国特許明細書第６，４０８，９１０号
【特許文献２】米国特許明細書第５，１４１，５８７号
【特許文献３】米国特許明細書第５，３５４４，４０４号
【特許文献４】米国特許明細書第５，５５４，２４２号
【特許文献５】米国特許明細書第６，１３９，６６８号
【発明の開示】
【発明が解決しようとする課題】
【０００５】
しかし、このようなタイヤは、埋め込み溝を作る金型を取り除く必要があるため、製造が困難であり、この方法の使用は、トレッドの縁部につながっている、または溝内に開口している埋め込み溝の形成だけに限定される。
【課題を解決するための手段】
【０００６】
本明細書では空気入りタイヤの形成方法を開示している。タイヤは、変化可能なトレッドパターンを有するように構成されており、新しい時と摩耗した時の両方で、タイヤが同様のトレッド性能を達成するように、トレッドパターンが、摩耗につれて変化する。変化するトレッドパターンは、タイヤの、濡れた路面での性能特性を維持しようとして、摩耗したタイヤの性能を最適化する。
【０００７】
本明細書ではタイヤを製造する方法を開示している。このタイヤは、カーカスとベルト構造とトレッドとを有している。トレッドは変化するトレッド構造を有し、トレッド構造はトレッドの様々な深さの位置で異なっている。このタイヤの製造方法は、ａ）少なくとも１つのカーカス補強プライと、互いに対向する１対のサイドウォールと、互いに対向する１対のビード部分とを有するカーカスを形成するステップと、ｂ）ベルト構造をカーカスの半径方向外側表面に配置するステップと、ｃ）長手方向に平行で互いに対向する２つの表面を有するトレッド材を形成するステップと、ｄ）トレッド材をベルト構造の半径方向外側面に配置するステップと、ｅ）タイヤの半径方向外側表面に溝を形成するための少なくとも１つのリブを有する金型内で、タイヤを硬化させるステップとを含む。本発明によると、硬化したタイヤ内に埋め込み溝を作るチューブが、タイヤを硬化させる前に、トレッド材に隣接して、またはトレッド材内に配置される。タイヤのトレッドの摩耗が所定のレベルになり、タイヤがいくらか摩耗した後でトレッド内の溝が増えるように、さらに摩耗する間にチューブが現れて開口する。
【０００８】
開示された方法の一実施態様では、トレッド材は押し出し成形によって形成され、チューブが内部に配置される少なくとも１つの溝が、トレッド材内に形成される。形成された溝は、トレッド材の長手方向に沿って延びていてもよく、または、トレッド材の長手方向を横切っていてもよい。形成された溝は、連続していてもよく、または、不連続で長さが短い溝であってもよく、すなわち長さが短い一連の溝の組であってもよい。このような溝が形成された、押し出し成形されたトレッド材の場合、硬化前にトレッド材内に形成された溝が、硬化したタイヤの半径方向外側表面上に形成されたいずれの溝とも一致しないことが好ましい。
【０００９】
本発明の他の実施態様では、トレッド内に、またはトレッドに隣接して配置されたチューブが、タイヤの加硫中に破壊されない材料から形成される。チューブは、タイヤの全周にわたって延びている連続したリング状のチューブ、予め形成され、端部が開口している任意の長さのチューブ、または、任意の長さの、少なくとも１つの可撓性の円筒であってもよい。チューブは０．１０ｍｍから５ｍｍの範囲内の厚さを有していることが好ましい。チューブは、ビニル共重合体または熱可塑性材料で形成されていてもよい。チューブには、トレッドの摩耗中にチューブ材が摩耗して無くなったときに解放される充填材料が供給されていてもよい。
【００１０】
本発明の他の態様では、チューブは予め形成された形状を有していてもよい。このような、予め形成された形状は、円形、長円形、２次元の曲線形状、正方形、長方形、台形、四角形、五角形、六角形、および多角形からなるグループから選択されていてもよい。
【００１１】
本発明の他の態様では、タイヤの硬化中に、チューブは、トレッド金型の表面から延びている複数のニードル、トレッド金型の表面から延びている複数の金型リブ、または、トレッド金型の表面から延びている複数のサイプブレードによって、所望の位置に保持されている。
【００１２】
本発明の他の態様では、トレッド材をベルト構造の半径方向外側表面上に配置する前に、クッションゴムをベルト構造上に配置する追加のステップが行われてもよい。
【００１３】
本明細書では、開示された製造方法によって作られたタイヤとその変形例も開示されている。
【００１４】
開示されているタイヤは、カーカスとベルト構造とトレッドとを有している。トレッドは、周方向の少なくとも１つの表面溝、または横方向の少なくとも１つの表面溝と、変化するトレッド構造とを有し、トレッド構造はトレッドの様々な深さの位置で異なっている。トレッドは埋め込み溝を有し、埋め込み溝は表面溝のいずれとも連通していない。トレッドは、タイヤの残りの部分と同じ金型内で、残りの部分と同時に全て硬化する、少なくとも１つのゴム基体で形成されている。
【００１５】
［定義］
開示されている発明は、以下の定義によって規定される。
【００１６】
「環状の」は、リング状に形成されていることを意味する。
【００１７】
「変化するトレッド構造」は、トレッドの様々な深さ位置で、すなわち様々な摩耗レベルで異なっているトレッド構造を意味する。
【００１８】
「インナー」はタイヤの内側に向かうことを意味し、「アウター」はタイヤの外側に向かうことを意味する。
【００１９】
「横方向」は軸線方向を意味する。
【００２０】
「ノンスキッド」は、タイヤトレッドの溝の深さを意味する。
【００２１】
「半径方向の」および「半径方向に」は、タイヤの回転軸線に対して半径方向に向かう、または離れる方向を意味する。
【発明を実施するための最良の形態】
【００２２】
以下、本発明の実施の形態について、添付された図面を参照して説明する。
【００２３】
以下の説明は、本発明を実施する、現在考え得る最良の１つまたは複数の形態に関するものである。本説明は、本発明の一般原理を説明するためのものであり、限定的な意味に捉えられるべきではない。本発明の範囲は、添付されている特許請求の範囲を参照することによって最もよく理解されるであろう。
【００２４】
図１は、本発明によって形成された空気入りタイヤ１０の断面図である。タイヤ１０は、インナーライナー１４と、互いに対向する１対のビード部分１８の間を延びている少なくとも１つの補強プライ１６と、互いに対向する１対のサイドウォール２０とを含むカーカス構造１２を有している。カーカス１２の半径方向外側にはベルトパッケージ２２がある。ベルトパッケージ２２は、通常、交差する複数の補強コードの少なくとも２つのプライ２４を有している。交差する複数のコードプライ２４とベルトパッケージ２２の一部の半径方向外側には、タイヤ１０の周方向に実質的に平行に傾いている複数のコードの被覆プライ２６が存在してもよい。
【００２５】
タイヤ１０の半径方向外側表面上に位置しているタイヤトレッド２８は、ブロックおよび／またはリブの形態の複数のトレッド部材３０によって形成されていることを特徴とする。このような複数のトレッド部材３０は、周方向に延びているおよび／または横断方向に延びている複数の溝３２によって形成されている。トレッド表面の内部には、少なくとも１つの埋め込み溝（buried groove）３４が位置している。埋め込み溝３４は、少なくとも部分的に周方向に延びていることが好ましい。さらに、埋め込み溝３４は、トレッド４が摩耗していない段階では、タイヤトレッド２８のあらゆる表面溝３２と連通していないこと、すなわち、タイヤトレッド２８のトレッド部材３０の中で独立していることが好ましい。なお、表面溝３２は、タイヤ１０が摩耗していない段階でトレッド表面３６に存在する溝と定義される。
【００２６】
図２のトレッドでは、摩耗していない段階では、トレッドを５列のトレッド部材に分割している、周方向に延びている４つの溝によって、トレッドが形成されている。トレッド中心線ＣＬ上に位置しているトレッド部材の列４０は、２つの周方向溝４２，４４によって範囲が定められたリブである。中央のトレッド部材の列４０の境界を定めている２つのトレッド部材の列４６，４８は、周方向の列４２，４４，５２，５４と横方向溝５６によって形成されている複数のブロック５０である。
【００２７】
外側の周方向列５２，５４の軸線方向外側には、軸線方向に最も外側のトレッド部材の列５８，６０が存在している。これらの列５８，６０は、複数のブロック６２を有している。複数のブロック６２は、周方向の溝５２，５４と、斜めになっている横方向溝６４とによって形成されているが、複数のブロック６２は、接続部材６６によって軸線方向内側縁部で接続されている。複数のブロック５０、６２と接続部材６６には、トレッド内の、食いつく縁部（biting edges）の数を増加させるサイプ６８も設けられている。
【００２８】
図３のトレッドは、図２のトレッドの、約３０パーセント摩耗した後の状態である。摩耗したトレッドは、中央のトレッド部材の列４０を、２つの狭幅の列７０，７２に分割する追加の周方向溝３４を有している。ある摩耗期間後に露出する溝３４が存在することによって、タイヤ１０の、濡れた路面における性能が向上する。トレッドは変化するトレッド構造を有しており、このトレッド構造は、トレッドの様々な深さの位置で、すなわち様々な摩耗のレベルで、異なっている。後で露出するような溝３４を有しているトレッドは、以下のようにして形成することができる。
【００２９】
２段階のタイヤ成形工程において、タイヤカーカス１２は、第１段階のタイヤ組立ドラム上で組み立てられる。グリーンカーカス（green carcass）１２は、ベルトパッケージ２２とトレッド４とを除く、タイヤの全ての構成部材を有している。ベルト−トレッド・パッケージは、第２段階のタイヤ組立機上で別個に形成される。ベルトパッケージ材料のプライ２４，２６は第２段階のドラム上に配置され、それから、トレッド４を形成するグリーンゴム（green rubber）の連続したストリップが、トレッドの原材料（tread stock material）として供給される。連続したストリップは、ベルトパッケージ２２を覆う閉じた円を形成するように切断端部を他の切断端部に継ぎ合わせるために、好ましくは所定の角度で、必要な長さに切断される。組み立てられたベルト−トレッド・パッケージは、第１段階のタイヤ組立機で既に組み立てられたグリーンタイヤカーカス１２に貼り付けられる。それから、タイヤカーカス１２は、ベルト−トレッド・パッケージ内で円環形状に「膨らまされ」、金型に搬送されて、組立体全体が硬化させられて最終的なタイヤとされる。この工程の例は、特許文献２〜５に開示されている。
【００３０】
図４は、本発明で有用な図２と３のトレッド構造のトレッド材（tread stock）７４の断面図を示している。トレッド材７４は、両端部が、図示されているよりも先細になっていてもよいが、主に長方形状である。トレッド材７４は、定められた外側面７６と定められた内側面７８を有している。外側面７６は、グリーンタイヤのベルトパッケージ２２およびタイヤカーカス１２の外側に配置されて、硬化したタイヤのトレッド構造を構成する。内側面７８は、トレッド材７４の、ベルトパッケージ２２またはトレッドベースの原材料８０の上に直接配置される側である。本発明の実施形態によると、変化するトレッド構造内の、摩耗によって露出する溝３４を形成するために、少なくとも１つの溝８２がトレッド材７４の一方の側面７６または７８に予め形成されている。図４のトレッド材７４では、溝８２が材料の内側面７８に形成されている。
【００３１】
トレッド材７４の溝８２は、押し出し成形によって、または溝８２を形成するように原材料を除去することによって形成することができる。溝８２の形成においては、溝８２を、硬化した最終的な埋め込み溝３４の所望の断面積よりも広い断面積を備えるように形成してもよい。硬化中のトレッド材７４の流れが制限されて、結果的に、硬化した最終的な埋め込み溝３４の断面積が狭くなるような場合には、より広い幅またはより深い深さを有しより広い断面積を備えている溝８２を形成することによって、それを補うことができる。あるいは、溝８２を、硬化した埋め込み溝３４とほぼ同じ寸法に形成してもよい。
【００３２】
あるいは、トレッド複合物７４または選択されたトレッド構造のいずれかが原因で、トレッド複合物７４が、タイヤの硬化中に大流量にさらされる場合、図５Ａと５Ｂに示しているように、硬化中に破壊されず、すなわち硬化完了時に無傷の状態に維持される部材８４を溝８２内に挿入することによって、溝８２を維持してもよい。
【００３３】
前述したように、溝８２を、トレッドの原材料７４の内側面７８または外側面７６に形成してもよい。図示されているように、溝８２が内側面７８に形成され、チューブなどの挿入部材８４を用いることによって、タイヤの成形中に溝の形状が維持される場合、トレッドの原材料７４は挿入部材８４の周りを流れ、挿入部材８４の相対位置は、成形中に影響を受けない。硬化中のゴムの流れが挿入部材８４を、硬化したタイヤ内の最終的な所望の位置から移動させる可能性がある場合、挿入部材８４を所望の位置に保持するために金型手段を用いることができる。このような金型手段は、トレッド金型から延びている複数のニードル、または、金型から延びている複数の溝リブ（groove ribs）またはサイプブレード（sipe blades）を有している。複数のニードルを用いる場合、複数のニードルは、必要とされる挿入部材８４の保持を実現するような寸法であるが、最終的なトレッド構造を変えることがないように十分小さい。挿入部材８４の保持のために複数のニードルだけを用いる場合、挿入部材８４の両側にあり、必要に応じて挿入部材８４の長手方向に沿って位置する、１組のニードルを採用することが好ましい。このような保持手段が、挿入部材８４を上方および／または側方から位置決めする一方、硬化中のタイヤの拡張が挿入部材８４を下側から保持する。
【００３４】
溝８２および挿入部材８４が、埋め込み溝３４を形成するためにトレッド材７４の外側面７６に位置している場合、トレッドゴムは、挿入部材８４を完全に包囲するように挿入部材８４の周囲を流れなければならない。このような実施形態では、埋め込み溝３４が、トレッドの摩耗の比較的早期の状態、例えばトレッドの２０％または２５％の摩耗状態で現れるように、硬化した最終的なタイヤで、埋め込み溝３４はトレッド表面３６の比較的近くにある。
【００３５】
挿入部材８４は、タイヤトレッド２８の周方向長さに等しい、または周方向長さよりも小さい、または周方向長さよりも長い、任意の長さのチューブであることが好ましい。チューブは、連続した輪として形成されてもよく、また、所定の長さを有してもよい。チューブの断面形状は変更可能であり、埋め込み溝３４の所望の断面形状によって決まることが多い。考えられるチューブの断面形状は、円形、長円形、またはその他の２次元の曲線構成、正方形、長方形、台形、またはその他の四角形、五角形、六角形、またはその他の多角形を含むが、これらに限定されない。チューブは、トレッド材７４の押し出し成形の後に溝８２内に配置されてもよく、または、トレッド材７４が、図５Ａに示されているような形態になるように、チューブの上に押し出されてもよい。あるいは、図５Ｂに示されているように、チューブを、押し出された材料の１対の層７４，８０の間に配置してもよく、内側のトレッド材８０が、タイヤ１０の成形中にチューブを所定の位置に保持するのを助けるクッションゴムであってもよい。このような、トレッド材の２重構造の場合、クッションゴム８０を、タイヤ組立中にまずベルトパッケージ２２の上に配置してもよく、その後に、チューブと外側のトレッド材７４を配置してもよい。
【００３６】
本発明の一実施形態では、チューブは、グリーンタイヤの硬化中に破壊されない材料、すなわち硬化したタイヤの性能を損なわない材料から形成される。チューブ材の厚さは、前記した２つの目的のバランスをとるように選択されており、採用されている材料の種類に基づいている。考えられる他の材料としては、でんぷんからなる堅い共重合体やエチレン／ビニルアルコールなどのビニル共重合体、または、高分子量ポリエチレンなどの熱可塑性材料が含まれるが、これらに限定されない。
【００３７】
あるいは、チューブは、完全に、または部分的に予め硬化しているエラストマのチューブから構成されていてもよい。チューブを形成しているゴム重合体の基体は、隣接するトレッド部材と同じゴム重合体の基体であるが、隣接するゴムよりも剛性の高いチューブを実現するために、（例えばカーボンブラックやシリカなどの）補強材料のゴムに対して大きな百分率を有することが理想的である。例えば、チューブは、補強材料の荷重がゴムの８０パーセントから１３０パーセントの範囲内、好ましくはゴムの１００パーセントから１２０パーセントの範囲内である材料で形成されている。
【００３８】
チューブの厚さは、予めどの程度硬化しているかにかかわらず、０．１０ｍｍから５．０ｍｍの範囲内である。好ましくは、チューブの厚さは０．５０ｍｍから３ｍｍの範囲内である。チューブが厚いことは、中型トラック用ラジアルタイヤまたはオフロードタイヤに使用されるような非常に大きいトレッドの構成に適している。旅客用乗物の場合、チューブの厚さは０．５ｍｍから２ｍｍの範囲内である。
【００３９】
前記したあらゆる変形例で、形状を維持するために溝８２内に挿入される部材８４は、タイヤトレッド２８の周方向の長さよりも短い長さを有する、複数の、閉じた短い円筒であってもよい。この代替実施形態は、複数の不連続な溝をトレッド材の下側に形成するときに最も有用である。
【００４０】
他の実施形態では、複数の埋め込み溝３４内に、生分解性材料、または可溶性の連結部分を備えた非汚染性材料（たとえば可溶性の糊でくっつけられた砂）を充填することが望ましいことがある。生分解性材料の例は、「空気入りタイヤ（Pneumatic Tire）」という名称で２００５年１０月５日に出願された共有の米国特許出願第６０／７２３，７５６号に開示されている。充填材料は、チューブが部分的に硬化したときに用いてもよく、タイヤ１０の硬化中にチューブ状または円筒状の形状を維持し、チューブ材が埋め込み溝３４内に流れて塞ぐことを防ぐために、生分解性材料を部分的に採用してもよい。充填材料は、充填されたチューブのすぐ上のトレッドゴムが摩耗して低くなっているがトレッドが完全になくなるまでは摩耗していないときに、トレッドの剛性を高めるという利点も有する。
【００４１】
トレッド材７４上に形成された複数の溝８２は、図３の実施形態のトレッドに示唆されているように連続していてもよいが、溝８２は、図６〜８に示されているように任意の形状であってよい。図６に示されているように、複数の溝８２がトレッド材７４の長手方向Ｌに形成されていてもよく、図７に示されているように、複数の溝８６がトレッド材７４の長手方向Ｌを横切るように形成されていてもよく、または、図８に示されているように、複数の溝が、長手方向の溝８２と横方向の溝８６の組み合わせであってもよい。複数の溝は、図９に示されているようにトレッド材７４の内側面７８の上に形成された不連続な一連の溝８８であってもよい。
【００４２】
タイヤ１０の他の製造方法では、第２段階のタイヤ組立機に供給されたトレッド材７４が、内部に、予め形成された溝８２，８６，８８を全く有していない。組み立てられたベルト−トレッド・パッケージは、グリーンタイヤカーカス上に組み立てられ、リング状のチューブがグリーンタイヤ組立体の外表面７６に取り付けられる。チューブリングの位置は、その直径のために、グリーンタイヤ上で維持されている。タイヤ１０の成形中に、トレッド材７４の内側面７８に位置している溝８２および挿入部材８４と同様に、ゴムがチューブリングの周りを流れて、硬化したタイヤ内に埋め込み溝３４を形成する。この製造方法は、従来のグリーンタイヤの構成部材を一切変更する必要がない。前記したチューブに関する全ての特徴は、この製造方法で用いられるチューブリングにも当てはまり、有用である。
【図面の簡単な説明】
【００４３】
【図１】本発明によって形成されたタイヤを示す図である。
【図２】摩耗していないタイヤのトレッドを示す図である。
【図３】図２のトレッドの、所定量の摩耗後の状態を示す図である。
【図４】トレッド材の断面図である。
【図５Ａ】トレッド材の断面図である。
【図５Ｂ】トレッド材の断面図である。
【図６】他のトレッド材を示す図である。
【図７】他のトレッド材を示す図である。
【図８】他のトレッド材を示す図である。
【図９】他のトレッド材を示す図である。
【符号の説明】
【００４４】
１０      タイヤ
１２      カーカス
１４      インナーライナー
１６，２４，２６      プライ
１８      ビード部分
２０      サイドウォール
２２      ベルトパッケージ
２８      トレッド
３０      トレッド部材
３２      表面溝
３４      埋め込み溝
３６      トレッド表面
４０，４６，４８，５８，６０      トレッド部材の列
４２，４４，５２，５４，５６，６４      溝
５０，６２      ブロック
６６      接続部材
６８      サイプ
７０，７２      狭幅の列
７４      トレッド材
７６      外側面
７８      内側面
８０      クッションゴム
８２，８６，８８      溝
８４      挿入部材
ＣＬ      トレッド中心線
【図１】
2007168438.tif 000003
【図２】
2007168438.tif 000004
【図３】
2007168438.tif 000005
【図４】
2007168438.tif 000006
【図５Ａ】
2007168438.tif 000007
【図５Ｂ】
2007168438.tif 000008
【図６】
2007168438.tif 000009
【図７】
2007168438.tif 000010
【図８】
2007168438.tif 000011
【図９】
2007168438.tif 000012